(57)【要約】【課題】  書き込み防止の設定を確実に探知する力ピン付きＰＣカードアダプターを提供する。【解決手段】  基座１１、蓋体、若干の端子２１、二つの弾力ピン開閉器２６及び側圧の弾力ピン３１から構成される。基座１１は、中央に空間１２を有し、前端にＰＣカードを挿入するための挿入口１３を有し、空間１２の両側にそれぞれガイド軌道１４が設けられる。端子２１は、空間１２の中に延伸するように基座１１に設けられる。弾力ピン開閉器２６は、基座１１に設けられ、かつ空間１２の左側に位置付けられる。側圧の弾力ピン３１は、少なくともその一端が基座１１に挿し込まれ、かつ空間１２の右側のガイド軌道１４のすぐそばに位置付けられる。側圧の弾力ピン３１はその一端が基座１１に挿し込まれ、側圧の弾力ピン３１の胴部はガイド軌道１４の開口１４１に対し折り曲げられ、かつ空間１２まで延伸している。【選択図】    図１
0003101826.tif 000002
【実用新案登録請求の範囲】
【請求項１】
中央に空間を有し、前端にＰＣカードを挿入するための挿入口を有し、空間の両側にそれぞれガイド軌道が設けられる基座と、
基座に被せるように設けられる蓋体と、
空間の中に延伸するように基座に設けられる複数の端子と、
基座の一側に設けられる少なくとも一つの弾力ピン開閉器と、
弾力ピン開閉器に向かい合うように基座の他側に設けられ、かつ一部が空間まで延伸する側圧の弾力ピンと、
を備えることを特徴とする側圧の弾力ピン付きＰＣカードアダプター。
【請求項２】
側圧の弾力ピンは金属弾力ピンであって、少なくともその一端が基座に挿し込まれ、側圧の弾力ピンの一部はガイド軌道に位置付けられ、かつ空間の中に延伸することを特徴とする請求項１に記載の側圧の弾力ピン付きＰＣカードアダプター。
【請求項３】
側圧の弾力ピンに対応するガード軌道は開口を有し、開口から基座に対し凹んで形の長い収納室を形成し、側圧の弾力ピンは収納室の中に収納され、一端が基座に挿し込まれ、側圧の弾力ピンの胴部は開口に対し折り曲げられ、かつ空間に延伸し、側圧の弾力ピンの他端は収納室の端縁部に対し所定の距離を空けることを特徴とする請求項２に記載の側圧の弾力ピン付きＰＣカードアダプター。
【請求項４】
側圧の弾力ピンは基座と一体成形され、基座の弾力ピン開閉器に向かい合う他の一側を内に曲げて延伸させ、凹溝を形成し、凹溝を該一側のガイド軌道のそばに位置付け、凹溝により基座と一体成形される側圧の弾力ピンを形成し、該一側のガイド軌道を側圧の弾力ピンに位置付けることを特徴とする請求項１に記載の側圧の弾力ピン付きＰＣカードアダプター。
【請求項５】
側圧の弾力ピンは延伸突出部を有し、延伸突出部はガイド軌道から空間へ所定の長さ延伸し突出することを特徴とする請求項４に記載の側圧の弾力ピン付きＰＣカードアダプター。
【請求項６】
中央に空間を有し、前端にＰＣカードを挿入するための挿入口を有し、空間の両側にそれぞれガイド軌道が設けられる基座と、
基座に被せるように設けられる蓋体と、
空間の中に延伸するように基座に設けられる複数の端子と、
基座の一側に設けられる少なくとも一つの弾力ピン開閉器と、
一端が蓋体の底面に設けられ、かつ弾力ピン開閉器に向かい合うように基座の他側に位置付けられ、一部が空間まで延伸する側圧の弾力ピンと、
を備えることを特徴とする側圧の弾力ピン付きＰＣカードアダプター。
【考案の詳細な説明】
【技術分野】
【０００１】
本考案は、エレクトロン装置に関し、詳しく言えば、メモリカードの書き込み防止の状態を確実に検知可能な側圧の弾力ピン付きＰＣカードアダプターに関するものである。
【背景技術】
【０００２】
周知のＰＣカードアダプターは、その内部に弾力ピン開閉器を有することにより、メモリカードにおける書き込み防止キーの位置を感知し、メモリカードが書き込み防止と設定されるかを探知する。またＰＣカードアダプターは所定の規格により製造される。したがって、その挿入空間は基準サイズを有し、一定の規格のメモリカードを収納する。
【０００３】
図１０に示すように、周知のＰＣカードアダプター９１は、基準規格のメモリカード９８を挿入した場合、メモリカード９８における書込み防止キーにより、弾力ピン開閉器を確実に動作させ、正確な探知の結果を生じる。しかし、製造上の誤差により、市販のメモリカードのサイズは基準サイズより比較的小さい場合がある。例えば図１１に示すように、サイズの比較的小さいメモリカード９９をＰＣカードアダプター９１に挿入した場合、メモリカード９９における書き込み防止キーは弾力ピン開閉器９５に接触して反応することができず、誤動作を発生させることがある。このため、この場合では、メモリカード９９は書込み防止の状態と誤判され、書き込みができず、データの保存の正確性に影響を与える。
【考案の開示】
【考案が解決しようとする課題】
【０００４】
本考案の主な目的は、メモリカードを一側に押し付け、メモリカードにおける書き込み防止キーを弾力ピン開閉器において確実に動作させ、書き込み防止の設定を確実に探知し、誤動作を発生させない側圧の弾力ピン付きＰＣカードアダプターを提供することにある。
【課題を解決するための手段】
【０００５】
本考案の請求項１から５記載の側圧の弾力ピン付きＰＣカードアダプターは、中央に空間を有し、前端にＰＣカードを挿入するための挿入口を有し、空間の両側にそれぞれガイド軌道が設けられる基座と、基座に被せるように設けられる蓋体と、空間の中に延伸するように基座に設けられる複数の端子と、基座の一側に設けられる少なくとも一つの弾力ピン開閉器と、弾力ピン開閉器に向かい合うように基座の他側に設けられ、かつ一部が空間まで延伸する側圧の弾力ピンとを備える。
【０００６】
請求項２記載の側圧の弾力ピン付きＰＣカードアダプターによると、側圧の弾力ピンは金属弾力ピンであって、少なくともその一端が基座に挿し込まれ、側圧の弾力ピンの一部はガイド軌道に位置付けられ、かつ空間の中に延伸する。
請求項３記載の側圧の弾力ピン付きＰＣカードアダプターによると、側圧の弾力ピンに対応するガード軌道は開口を有し、開口から基座に対し凹んで形の長い収納室を形成し、側圧の弾力ピンは収納室の中に収納され、一端が基座に挿し込まれ、側圧の弾力ピンの胴部は開口に対し折り曲げられ、かつ空間に延伸し、側圧の弾力ピンの他端は収納室の端縁部に対し所定の距離を空ける。
【０００７】
請求項４記載の側圧の弾力ピン付きＰＣカードアダプターによると、側圧の弾力ピンは基座と一体成形され、基座の弾力ピン開閉器に向かい合う他の一側を内に曲げて延伸させ、凹溝を形成し、凹溝を該一側のガイド軌道のそばに位置付け、凹溝により基座と一体成形される側圧の弾力ピンを形成し、該一側のガイド軌道を側圧の弾力ピンに位置付ける。
【０００８】
請求項５記載の側圧の弾力ピン付きＰＣカードアダプターによると、側圧の弾力ピンは延伸突出部を有し、延伸突出部はガイド軌道から空間へ所定の長さ延伸し突出する。
また請求項６記載の側圧の弾力ピン付きＰＣカードアダプターは、中央に空間を有し、前端にＰＣカードを挿入するための挿入口を有し、空間の両側にそれぞれガイド軌道が設けられる基座と、基座に被せるように設けられる蓋体と、空間の中に延伸するように基座に設けられる複数の端子と、基座の一側に設けられる少なくとも一つの弾力ピン開閉器と、一端が蓋体の底面に設けられ、かつ弾力ピン開閉器に向かい合うように基座の他側に位置付けられ、一部が空間まで延伸する側圧の弾力ピンとを備える。
【考案を実施するための最良の形態】
【０００９】
以下、本考案の実施例を図面に基づいて説明する。
図１及び図２に示すように、本考案の第一実施例による側圧の弾力ピン付きＰＣカードアダプター１０は、基座１１、蓋体１６、若干の端子２１、二つの弾力ピン開閉器２６及び側圧の弾力ピン３１から構成される。
【００１０】
基座１１は、中央に空間１２を有し、前端にＰＣカードを挿入するための挿入口１３を有し、基座１１には空間１２の両側にそれぞれガイド軌道１４が設けられる。
蓋体１６は、基座１１に被せるように設けられる。
端子２１は、空間１２の中に延伸するように基座１１に設けられる。
【００１１】
弾力ピン開閉器２６は、基座１１に設けられ、かつ空間１２の左側に位置付けられる。
側圧の弾力ピン３１は、金属弾力ピンであって少なくともその一端が基座１１に挿し込まれ、かつ空間１２の右側のガイド軌道１４のすぐそばに位置付けられる。ガイド軌道１４は、開口１４１を有し、開口１４１から基座１１に対し凹んで形の長い収納室１４２を形成する。側圧の弾力ピン３１は、収納室１４２の中に収納され、かつその一端が基座１１に挿し込まれ、側圧の弾力ピン３１の胴部がガイド軌道１４の開口１４１に対し折り曲げられ、かつ空間１２まで延伸し、また他端が収納室１４２の端縁部に対し所定の距離を空ける。これにより、側圧の弾力ピン３１の変形空間１２を提供可能である。
【００１２】
前述の構造により、挿入するＰＣカードを側面から弾力ピン開閉器２６に向かって押し、それらの開閉器をスムーズに動作させる。
図３に示すように、本実施例では、基準規格のメモリカード９８を挿入する場合、メモリカードの両側を二つのガイド軌道１４の中に嵌め込む。挿入の過程において、側圧の弾力ピン３１は押し付けられ変形し、収納室１４２へ縮小して進入すると同時に、メモリカード９８を弾力ピン開閉器２６に押すように復帰パワーを提供する。この場では、メモリカード９８は、既に基準規格であるため、側圧の弾力ピン３１がなかったとしても、その側縁が弾力ピン開閉器２６にかなり接近する。そうすると、メモリカード９８における書き込み防止キーは弾力ピン開閉器２６において確実に作用可能である。
【００１３】
図４に示すように、本実施例では、製造上の誤差による比較的小さいメモリカード９９を挿入する場合、側圧の弾力ピン３１は押され変形すると同時に、側圧の弾力ピン３１の復帰パワーにより押し付けられ、左側のガイド軌道１４に移動し、かつ弾力ピン開閉器２６に接近する。そうすると、メモリカード９９における書込み防止キーは弾力ピン開閉器２６において確実に作用可能である。
【００１４】
したがって、側圧の弾力ピン３１を設けることにより、挿入するメモリカードのサイズが基準でも比較的小さくても、弾力ピン開閉器２６において確実に作用可能であり、書き込み防止の設定は確実に探知され、誤動作は発生しない。
図５及び図６に示すように、本考案の第二実施例による側圧の弾力ピン付きＰＣカードアダプター４０は前述の実施例とほぼ同じであるが、その違う点は、以下のとおりである。
【００１５】
側圧の弾力ピン４７は基座４１と一体成形され、基座４１の右側を内に湾曲して延伸させ凹溝４２を形成し、凹溝４２を基座４１の右側のガイド軌道４３のすぐそばに位置付け、凹溝４２により基座４１と一体成形される側圧の弾力ピン４７を形成し、右側のガイド軌道４３を側圧の弾力ピン４７上に位置付ける。また側圧の弾力ピン４７は、延伸突出部４７１を有し、延伸突出部４７１がガイド軌道４３から基座３１の中央空間４１１へ所定の長さ延伸し突出する。
【００１６】
図７及び図８に示すように、本考案の第二実施例では、基準規格のメモリカード９８または比較的小さいメモリカード９９を挿入する場合、メモリカード９８、９９の側縁はガイド軌道４３に沿って進入し、延伸突出部４７１を押し出し、側圧の弾力ピン４７により、メモリカード９８、９９を左側に押し付けかつ弾力ピン開閉器４５に接近させる。そうすると、メモリカード９８、９９における書き込み防止キーは弾力ピン開閉器４５において確実に作用可能であり、書き込み防止の設定は確実に探知され、誤動作は発生しない。
【００１７】
図９に示すように、本考案の第三実施例による側圧の弾力ピン付きＰＣカードアダプター５０は前述の第一実施例とほぼ同じであるが、その違う点は以下のとおりである。
側圧の弾力ピン５７は、その一端が蓋体５６の底面に設けられ、蓋体５６と基座５１とを結合するとしたら、側圧の弾力ピン５７が基座５１の一側の予め設けられた形の長い収納室５４２の中に位置付けされ、弾力ピン開閉器５４に向かい合い、かつ側圧の弾力ピン５７の一部が空間５２まで延伸する。
【００１８】
本実施例の側圧の弾力ピン５７は、連接方式が前述の実施例と異なっても、基座５１内の同じ位置につくため、前述の実施例と同じ動作方式に達することが可能である。その動作方式の内容は説明を省く。
上述の構造により、本考案による利点は、側圧の弾力ピンの作用により、メモリカードを一側に押し付け、メモリカードを弾力ピン開閉器に確実に接近させ、メモリカードにおける書込み防止のキーを弾力ピン開閉器において確実に作用させることで、書き込み防止の設定は確実に探知され、誤動作は発生しないことである。
【図面の簡単な説明】
【００１９】
【図１】本考案の第一実施例による側圧の弾力ピン付きＰＣカードアダプターを示す局部的な分解立体図である。
【図２】本考案の第一実施例による側圧の弾力ピン付きＰＣカードアダプターを示す正面図であって、蓋板が外された状態を示す図である。
【図３】本考案の第一実施例による側圧の弾力ピン付きＰＣカードアダプターを示す模式図であって、基準規格のＰＣカードが差し込んである状態を示す図である。
【図４】本考案の第一実施例による側圧の弾力ピン付きＰＣカードアダプターを示す模式図であって、比較的小さいＰＣカードが差し込んである状態を示す図である。
【図５】本考案の第二実施例による側圧の弾力ピン付きＰＣカードアダプターの一部のユニットを示す立体図である。
【図６】本考案の第二実施例による側圧の弾力ピン付きＰＣカードアダプターの一部のユニットを示す正面図であって、基座の構造を示す図である。
【図７】本考案の第二実施例による側圧の弾力ピン付きＰＣカードアダプターを示す模式図であって、基準規格のＰＣカードが差し込んである状態を示す図である。
【図８】本考案の第二実施例による側圧の弾力ピン付きＰＣカードアダプターを示す模式図であって、比較的小さいＰＣカードが差し込んである状態を示す図である。
【図９】本考案の第三実施例による側圧の弾力ピン付きＰＣカードアダプターを示す局部的な分解立体図である。
【図１０】周知のＰＣカードアダプターの使用状態を示す模式図である。
【図１１】周知のＰＣカードアダプターのほかの使用状態を示す模式図である。
【符号の説明】
【００２０】
１０  側圧の弾力ピン付きＰＣカードアダプター、１１  基座、１２  空間、１３  挿入口、１４  ガイド軌道、１６  蓋体、２１  端子、２６  弾力ピン開閉器、３１  側圧の弾力ピン、４０  側圧の弾力ピン付きＰＣカードアダプター、４１  基座、４２  凹溝、４３  ガイド軌道、４５  弾力ピン開閉器、４７  側圧の弾力ピン、５０  側圧の弾力ピン付きＰＣカードアダプター、５１  基座、５２  空間、５４  弾力ピン開閉器、５６  蓋体、５７  側圧の弾力ピン、９８  メモリカード、９９  メモリカード、１４１  開口、１４２  収納室、４１１  空間、４７１  延伸突出部、５４２  収納室
【図１】
0003101826.tif 000003
【図２】
0003101826.tif 000004
【図３】
0003101826.tif 000005
【図４】
0003101826.tif 000006
【図５】
0003101826.tif 000007
【図６】
0003101826.tif 000008
【図７】
0003101826.tif 000009
【図８】
0003101826.tif 000010
【図９】
0003101826.tif 000011
【図１０】
0003101826.tif 000012
【図１１】
0003101826.tif 000013